(57)【要約】 【課題】回転体の表示面を切り換えた場合、当該表示面が遊技機の透明板から離れないようにすること。【解決手段】遊技機のフロント部材の透明板に対して、回転体用支持枠を介して配設されると共に、前記支持枠に設けられた回転体用駆動源の駆動力により、固定基準軸を中心にして所要量回転すると、表示手段の複数個の表示面の各位置が前記透明板に対して切り換る回転体を備えた遊技機用表示装置に於いて、前記回転体用支持枠は、前記回転体の表示面の切換え時、ベース支持部材側又は回転体用支持枠側のいずれかに設けられた第１駆動源の駆動力により、前記透明板に対して進退動可能であることを特徴とする遊技機用表示装置。【選択図】図１４
2007275497.tif 000002
【特許請求の範囲】
【請求項１】
遊技機のフロント部材の透明板に対して、回転体用支持枠を介して配設されると共に、前記支持枠に設けられた回転体用駆動源の駆動力により、固定基準軸を中心にして所要量回転すると、表示手段の複数個の表示面の各位置が前記透明板に対して切り換る回転体を備えた遊技機用表示装置に於いて、前記回転体用支持枠は、前記回転体の表示面の切換え時、ベース支持部材側又は回転体用支持枠側のいずれかに設けられた第１駆動源の駆動力により、前記透明板に対して進退動可能であることを特徴とする遊技機用表示装置。
【請求項２】
請求項１に於いて、回転体の各表示面が透明板に接近することができるように、回転体用支持枠を所定位置で停止させる得る検知手段がベース支持部材及び支持枠に設けられていることを特徴とする遊技機用表示装置。
【請求項３】
請求項１又は請求項２に於いて、回転体に複数種類の表示手段がユニット的に組み合わせられており、回転体用支持枠が透明板に対して接近している状態から離れる方向へ所定量移動して、かつ、回転体の表示面が切換った時、第１表示手段４１の表示面４１ａ及び第２表示手段４２の表示面４２ａが透明板１（或いはベース１５）に接近した状態で、かつ、共に略同じ垂直平面に位置することを特徴とする遊技機用表示装置。
【請求項４】
請求項１に於いて、回転体に複数個の表示面を有する一つの表示手段が設けられ、固定基準軸を中心に前記表示面が切換って表示面が透明板から遠ざかった場合には、回転体用支持枠は、第１駆動源の駆動力により、前記透明板に対して接近可能であることを特徴とする遊技機用表示装置。
【請求項５】
請求項１の主要部をそのまま含み、表示装置２Ａには、操作部４９、複数個の検知手段等からの信号の出入力を制御する出入力制御部５１及び記憶部５３に格納された各駆動源２４、３１の起動点・停止点に関する情報５３ａを処理する制御部５０がそれぞれ電気的に接続していることを特徴とする遊技機。
【発明の詳細な説明】
【技術分野】
【０００１】
本発明は、パチンコ機、スロットマシンなどの遊技機の表示装置、特に、複数個の表示面を有する遊技機用表示装置及び遊技機に関する。
【背景技術】
【０００２】
パチンコ機、スロットマシンなどの遊技機の表示装置の表示手段には、複数個のタイプのものが存在する。例えば「リール（複数個の回胴体）」と称される機械的表示手段、「グラフイック（液晶体）」と称される電子表示手段、「円盤型（ホイール体）」と称される機械的表示手段などである。これらの可変表示手段は、単独で、又は複数個を組み合わせて遊技機のニュット型表示装置として構成することが可能である。
【０００３】
特許文献１は、例えば表示面が異なる複数種類の表示手段を組み合わせた遊技機用表示装置の一例である。特許文献１の表示装置は、駆動モータの駆動力により所定量（例えば９０度）回転すると、各表示手段の表示面が切り換る。
【０００４】
さて、図１は、特許文献１に記載の発明の概念図である。１は遊技機（例えばパチンコ機）Ｘの前面に取り付けた透明のガラス板、２はガラス板１に対して、少なくとも回転運動することができるように遊技機Ｘの筐体内に配設された表示装置である。付言すると、表示装置２は、図示しない筐体の対向側壁に対して、固定基準軸３を介して切換え自在に設けられている。
【０００５】
また、４は中央部に前記固定基準軸３を軸支する軸受け部分を有するユニット機体の取付けベースで、この取付けベース４の一側上面側には、２組の回胴体（複数個のリール）５が併設されている。
【０００６】
一方、取付けベース４の一側下面側のケース部分６には、ホイール体７が回転自在に内装されていると共に、ケース部分６の一端部側（図面上、左側）には、ホイール体７の表示面７ａと直交する表示面８ａを有する液晶体８が設けられている。
【０００７】
図１では、プレイヤーは、ガラス板１側から第１表示手段としての１組の回胴体５の表示面５ａと第２表示手段としての液晶体８の表示面８ａを同時に見ることが可能である。したがって、駆動モータ９の駆動力により、例えば表示装置２が矢印Ａ方向に９０度回転すると、プレイヤーは、今度はガラス板１側から第３表示手段としてのホイール体７の表示面７ａを見ることができる。
【０００８】
ところで、特許文献１に記載の表示装置２は、少なくとも回転運動するユニットの半径に相当する寸法のスペースが必要となる。また、ガラス板１と各表示手段の表示面５ａ、７ａ、８ａとの間隔に関して、表示装置２のコンパクト化に配慮せず、例えば固定基準軸３から回胴体５の表示面５ａまでの距離ｒと固定基準軸３からホイール体７の表示面７ａまでの距離ｒを可能な限り均等に設計する場合には問題ないが、仮に図２で示すように、表示装置２Ａの一つの表示手段が、曲面状の表示面５ａを有する表示手段５Ａであるのに対して、組み合わせ対象の他の表示手段が、液晶体のようにフラット状の表示面８ａを有する表示手段８Ａである場合に於いて、表示装置２のコンパクト化に配慮し、固定基準軸３から各表示面５ａ、８ａまでの距離ｒ１とｒ２が異なるように設計した場合には、プレイヤーの視認性に関して問題が生じる。
【０００９】
この点について付言すると、表示装置２Ａがユニットの半径に相当する寸法（幅、若しくは厚み）を有する円形状のもの、例えば、円筒形のリールで構成される場合にはシンボルが配置された表示面５ａがガラス板に近接して表示されるので間題は無いが、ユニットの半径に相当する寸法を有しないもの、例えば、液晶表示装置８Ａを組み込んだ場合にはガラス板より奥まった（離れた）位置に表示面８ａが表示されるため、シンボルの視認が困難になり、また、ユニットとしての一体感を喪失させてしまうという問題がある。この問題点は、表示手段が、例えば複数個の表示面を有する一つのリールタイプであり、該表示手段が固定基準軸を中心に外周表示面から半径寸法が異なる扁平表示面に切り換った場合も同様である。
【００１０】
そこで、表示手段のタイプが同一又は異なる種類であるか否かを問わず、また、表示手段が単数又は複数であるか否かを問わず、２個以上の表示面を多面的に備えた表示装置に於いて、固定基準軸３から各表示面までの距離ｒ１とｒ２がそれぞれ異なる場合に、視認性、一体感等の問題点を解消することが望まれる。
【特許文献１】特開２００４−１８８１５９号公報
【発明の開示】
【発明が解決しようとする課題】
【００１１】
図１を参照にすると、例えば特許文献１の表示装置（この欄では「ユニット２」という。）は、第１表示手段５、第２表示手段８、第３表示手段７の各表示面５ａ、８ａ、７ａが、遊技機Ｘのフロント部材を構成するガラス板１に対して所要空間を設定して配設する必要がある。
【００１２】
そこで、仮に、図１に於いて、ユニット２の中心部に設けられた固定基準軸（位置が変わらない中心軸）３とガラス板１との間に十分な空間を設定しないで、フロント部材の裏側１ａにユニット２を配設すると、該ユニット２は固定基準軸３を支点に、例えば矢印Ａ方向に回転することから、第２表示手段８の縁部がガラス板１に衝突或いは接触する。
【００１３】
そこで、この問題点を解消するためにユニット２の固定基準軸３をガラス板１から所要量遠ざける必要があるが、前述したように、固定基準軸３から各表示面までの距離（例えば図１のｒとｒ、図２のｒ１とｒ２など）が異なるように設計されている場合には、視認性に関して問題が生じる。つまり、今度は、ユニット２のフラット型表示面がガラス板１から著しく離れてしまうという問題点が生じる。
【００１４】
そこで、本発明は、例えばリール（回胴体）、グラフイック（液晶体）、回転盤（ホイール体）などの表示手段を自由に組み合わせて多面的な表示装置を構成しても、各表示手段の表示面を、それぞれ透明板（ガラス板、フロントパネルなど）に対して近接表示することができ、その結果、ユニットとしての一体感を損なうことなく、プレイヤーに対して明確なシンボルの視認が可能になることを所期の目的とする。なお、本発明は、表示手段が、例えば複数個の表示面を有する一つのリールタイプであり、該表示手段が固定基準軸を中心に外周表示面から半径寸法が異なる扁平表示面に切り換る実施例の場合も同様である。
【課題を解決するための手段】
【００１５】
本発明の表示装置は、遊技機のフロント部材の透明板に対して、回転体用支持枠を介して配設されると共に、前記支持枠に設けられた回転体用駆動源の駆動力により、固定基準軸を中心にして所要量回転すると、表示手段の複数個の表示面の各位置が前記透明板に対して切り換る回転体を備えた遊技機用表示装置に於いて、前記回転体用支持枠は、前記回転体の表示面の切換え時、ベース支持部材側又は回転体用支持枠側のいずれかに設けられた第１駆動源の駆動力により、前記透明板に対して進退動可能であることを特徴とする。
【００１６】
また本発明の遊技機は、上記構成の主要部をそのまま含み、表示装置２Ａには、操作部４９、複数個の検知手段等からの信号の出入力を制御する出入力制御部５１及び記憶部５３に格納された各駆動源２４、３１の起動点・停止点に関する情報５３ａを処理する制御部５０がそれぞれ電気的に接続していることを特徴とする。
【発明の効果】
【００１７】
（１）１個又は２個以上の表示手段を備え、表示手段の表示面が多面的である回転体を遊技機の透明板に対して進退動自在に設けたので、前記表示面を切り換えたときに於いて、当該表示面が前記透明板から離れた場合、ベース支持部材側又は回転体用支持枠側のいずれかに設けられた第１駆動源の駆動力により、回転体用支持枠を透明板に接近させることができる。よって、発明の初期の目的を達成することができる。
（２）回転体に２個以上の表示手段をユニット的に組み合わせる場合には、リール、液晶、回転盤など多様な表示手段を自由に組み合わせることができる。付言すると、各表示手段の幅、若しくは厚みを気にしないで自在に組み合わせても、回転体用支持枠は、回転体の表示面の切換え時、ベース支持部材側又は回転体用支持枠側のいずれかに設けられ第１駆動源段の駆動力により、前記透明板に対して前進動可能であるから、各表示手段の表示面を透明板に近接して表示することができる。したがって、ユニットとしての一体感を損なうことなく、明確なシンボルの視認が可能となる。
（３）表示手段の組み合わせの自由性から、多様な遊技機用表示装置を製作することができる。したがって、遊技機用表示装置としての汎用性に優れている。
（４）請求項５に記載の遊技機は、本発明の主要部を利用した完成品として実用化することができる。
【発明を実施するための最良の形態】
【００１８】
以下、図３乃至図１４に示す本発明を実施するための最良の形態により説明する。なお、本発明を説明するに当たって、図１の概念図と同一の構成部分には、便宜上、同一の符号を用いる。
【００１９】
（１）発明の実施の環境
図３は発明の実施の環境を正面から示す概略説明図である。図３に於いて、遊技機Ｘはパチンコ機である。本発明の表示装置２は、遊技機Ｘのフロント部材の透明板１の裏側に配設されている。
【００２０】
そこで、Ｘはフロント部材、表示装置２等を有するパチンコ機である。１２は「遊技枠」と称されるフロント部材で、このフロント部材１２は、施錠可能な開閉枠１３、該開閉枠に設けられた透明板（例えばガラス板）１、該透明板１の後方に所要間隙を有して設けられた矩形状ベース板１５等を備えている。
【００２１】
本発明の遊技機Ｘ用の表示装置２は、後述する回転体の各表示手段の各表示面がベース板１５に形成した開口１６から見えるように透明板１（実施レベルではベース板１５）の裏側に配設される。本発明に関係のないパチンコ機Ｘの細部的説明は割愛する。
【００２２】
（２）本発明の用語と特徴部分
以下、図４乃至図１４を参照にして本発明の特定要件に関して順次説明する。ここで、本発明の要部に関する用語を説明する。表示手段の用語は、当業者に表示手段と認識されるものをいい、例えばゲームに関する電子式又は機械式表示装置が含まれる。また、本発明の「表示面」には、表示手段の個数、外観上及び機能上を如何を問わず、一つ表示手段の各表示面、又は異なる種類の表示手段の各表示面が含まれる。
【００２３】
換言すれば、回転体に複数個の表示面を有する一つの表示手段が設けられ、固定基準軸を中心に前記表示面が切換って表示面が透明板から遠ざかった場合、或いは回転体に複数個の表示手段がユニット的に設けられている場合に於いて、第１表示手段から第２表示手段へと表示面を切り換えた場合に、当該表示面が切り換え前の表示面と同一の場合（例えば互いに液晶画面、互いに回転ドラム画面）もあれば、異なる場合（例えば回転ドラム画面に対して液晶画面）もある。
【００２４】
また、表示手段の少なくとも一つはゲームを実行するために利用され、他の一つはゲームに関する情報を表示するために利用される場合も有り得る。全ての表示面を「ゲームステージ」として利用する必要はない。本実施例では、全ての表示面を「ゲームステージ」として利用し、かつ、複数個の異なる（独立・別個）の表示手段を任意形状の支持枠にユニットに組み込んでいる（一例）。
【００２５】
本発明の特徴部分は、単数又は複数の表示装置の回転体が、その表示面の切換え時、ベース支持部材（いわば表示機体）に設けられた回転体移動用の駆動源の駆動力により、ベース支持部材側等に設けられた案内手段を介して、所定位置まで前進ないし後退する。
付言すると、本発明の回転体は、遊技機のフロント部材の透明板１に対して、ベース支持部材及び回転体用支持枠等を介して配設されると共に、前記支持枠に設けられた回転体用駆動源の駆動力により、固定基準軸を中心にして所要量回転すると、回転体の表示手段の各表示面の位置が前記透明板１に対して切り換る。
【００２６】
（３）本発明の特定要件…ベース支持部材２１側
まず、図４及び図５を参照にして、本発明の特定要件を簡単に説明する。２Ａは本発明の表示装置で、この表示装置２Ａは、前述したように（図５で示すように）、遊技機のフロント部材の透明板１（実施レベルではベース板１５）の裏側に接近して配設される。
この表示装置２Ａの支持部材に着目すると、図面上、下側に位置するベース支持部材２１と、このベース支持部材２１の上方に可動自在（スライド自在）に設置された回転体用支持枠２２に区分けすることができる。
【００２７】
板状のベース支持部材２１は、その上面の左右端部に案内手段２３を一対備えている。なお、ここで「案内手段２３」とは、ベース支持部材２１側に固定された端面チャンネル形状の支持片２３ａと、該支持片２３ａ並びに支持枠２２の下面に設けられたガイドレール２３ｂを意味する。
【００２８】
また、ベース支持部材２１は、案内手段２３を介して、前記回転体用支持枠２２を移動（進退動）させるための第１駆動源（駆動モータ）２４及び第１動力伝達手段２５を備えている。第１駆動源２４は、例えば案内手段２３の支持片２３ａの外壁面の後端部に固定的に横設される。
【００２９】
図８は第１駆動源（駆動モータ）２４及び第１動力伝達手段２５の一例を示す。第１駆動源２４及び第１動力伝達手段２５の構成に関しては、当業者にとって周知事項なので、詳細な説明を割愛するが、駆動モータ２４の出力軸には不番の駆動プーリが設けられ、一方、所要間隔を有して案内手段２３の支持片２３ａの内壁面の先端部側には不番の従動プーリが設けられ、これらのプーリには伝動ベルト２５ａが巻装されている。
【００３０】
さらに、ベース支持部材２１側の案内手段２３の適宜箇所には、前記回転体用支持枠２２の移動位置を検出するための信号検出手段２６が複数個配設されている。なお、信号検出手段２６は、磁気感応型、光センサー型など公知又は新規な信号検出手段をスタート位置と停止位置に適宜に採用することができる。
【００３１】
ところで、第１動力伝達手段２５が、図８で示すように伝動ベルト、伝動チェーン等である場合には、回転体用支持枠２２に第１駆動源２４の駆動力を伝える工夫が必要なので、本実施例では、伝動ベルト２５ａの適宜箇所には回転体用支持枠２２に係合する係合片２７が設けられている。付言すると、係合片２７を設けることにより、伝動ベルト２５ａに回転体用支持枠２２を前進又は後退させるための牽引手段としての機能を付与している。
【００３２】
（４）本発明の特定要件…回転体用支持枠２２側
回転体用支持枠２２は、コ字形状、箱形状等任意に形成することができるが、例えば図４で示すように上向きコ字形状に形成され、ベース支持部材２１側の左右一対の案内部材２３に係合している。この回転体用支持枠２２は、回転体の表示面の切換え時、ベース支持部材側の第１駆動源２４及び第１動力伝達手段２５を介して、透明板１に対して前進動可能である（特徴点）。
【００３３】
また、回転体用支持枠２２は、各図で示すように、一側外壁面に回転体用駆動源３１及び回転体用動力伝達手段３２を備え、かつ、回転体の固定基準軸３３を介して回転体３４を軸支している。また、回転体用支持枠２２は、第１駆動源２４の駆動力により進退動するので、一側外壁面の下端部に信号検出手段２６用の信号片（例えばインデックス）２８を備えている。
【００３４】
そこで、図６を参照にして、回転体用支持枠２２側の構成部材を説明する。３１は第１取付け板３６を介して支持枠２２の外壁面に取付けられた回転体用駆動源（以下、「駆動源３１」という。）、３２は駆動源３１の駆動力を回転基準軸３３に伝えるための動力伝達手段、３７は動力伝達手段３２を利用して回転体３４の切換え位置（回転位置）を検出する検出手段、３８は前記回転基準軸３３用の軸受け手段である。
【００３５】
本実施例では、前記駆動源３１は、回転体３４の各表示手段４１、４２、４３の表示面の位置を切り換えるために用いられる。したがって、ベース支持部材側の第１駆動源２４や各表示手段４１、４２、４３専用の駆動源（駆動モータ、駆動回路）とは異なるものである。
【００３６】
さらに、細部的事項について説明すると、駆動源３１は、本実施例では駆動モータが用いられている。また、減速機能を有する動力伝達手段３２は、駆動モータ３１の出力軸に固定された不番の小プーリと、回転体３４側に設けられた不番の大プーリと、これらに掛け渡された伝達ベルト３２ａとから構成されている。
【００３７】
そして、前記大プーリの外壁面には、固定手段を介してリング状のインデックス部材３９が固定されている。インデックス部材３９は、検出手段３７側の検出位置（例えば間隙）を通過することができる不番の突片部分を複数本（例えば３本）半径外方向に有している。さらに、軸受け部材３８は、支持枠２２の外壁面に固定される円形或いは多角形の固定板３８ａと、この固定板３８ａに装着される玉軸受け３８ｂとから成る。加えて、回転体用支持枠２２は、左右の側壁に回転体装着用の水平切欠部分或いは軸孔（本実施例）を有しでいる。
【００３８】
（５）ユニット式回転体３４
図６、図７、図９、図１３等で示すように、ユニット式回転体３４には、複数の表示手段４１、４２、４３が一体的に組み合わせられており、該回転体３４が回転すると、各表示手段４１、４２、４３の表示面４１ａ、４２ａ、４３ａの位置が切り換る。
【００３９】
しかして、回転体３４用の支持フレームは、固定基準軸３３を有する左右一対の対向板３４ａと、これらの対向板３４ａの内壁面の略中央部に固定され、かつ、対向板３４ａに直交する１枚の連結板３４ｂと、この連結板３４ｂの両面にそれぞれ固定された３種類の表示手段４１、４２、４３用の各支持板３４ｃ、３４ｄとから構成され、前記対向板３４ａには、複数の表示板が互いに交差状態に取付けられている。
【００４０】
ここで、３種類の表示手段４１、４２、４３を説明する。まず、図７を基準にすると、手前側に見える合計９個の回転リールは、連結板３４ｂの表面側に複数の支持板３４ｃを介してマトリックス状に配設された第１表示手段４１である。
【００４１】
したがって、第１表示手段４１の表示面４１ａは、普通一般に「リール」又は「ドラム」と称されるもので、その表示面４１ａは曲面状である。なお、各回転リールに対しては、図示しない駆動モータ、検出手段（インデックス部材、発光ダイオード、フォトトランジスタなど）がそれぞれ適宜に配設されている。
【００４２】
次に、第２表示手段４２及び第３表示手段４３は、連結板３４ｂの背面側にそれぞれ配設されている。本実施例では、横長の小さい第２表示装置４２及び大きい第３表示手段４３は、それぞれフラットの液晶画面４２ａ、４３ａである。
【００４３】
したがって、これらの液晶画面４２ａ、４３ａは、普通一般に「ビデオタイプ」と称されるもので、液晶画面４２ａ、４３ａはフラット状である。それ故に、本実施例のユニット型回転体３４は、形状又は大きさが異なる種類の表示手段４１、４２、４３が、対向支持板及び連結板を介して合計３個設けられている。
【００４４】
（６）本発明の主な作動態様
本発明では、回転体３４の各表示手段４１、４２、４３の各表示面４１ａ、４２ａ、４３ａが透明板１（ベース板１５）に接近することができるように、回転体用支持枠２２を所要位置で停止させる得る検知手段２６，２８がベース支持部材２１及び支持枠２２に設けられている。特に、本実施例の回転体３４は、回転体用支持枠２２が透明板１（ベース板１５）に対して接近している状態から離れる方向へ所定量移動して、かつ、回転体３４の表示面が切換った時、その後退の場所で、第１表示手段４１の表示面４１ａ及び第２表示手段４２の表示面４２ａが透明板１（１５）に接近した状態で、かつ、共に略同じ垂直平面に位置する。
【００４５】
なお、ここで「略同じ垂直平面」とは、取付け上の問題から、例えば予め表示面４１ａと表示面４２ａの位置が多少前後にずれている場合も含む。
【００４６】
図１４は、本発明の主な作動態様の一例を示すが、まず、図７、図９及び図１３を参照にして、ユニット型回転体３４の各表示手段の表示面の切換え状態について簡単に説明する。図７は、透明板側（つまりプレイヤー側）１，１５から第１表示手段４１の表示面４１ａのみが見えた場合である。
【００４７】
次に、図９は回転体３４が固定基準軸３３を支点に反時計方向に９０度回転した場合である。本実施例では、回転体３４の表示面を切換えた場合の一態様として、透明板側から曲面状表示面を有する機械的表示手段４１の一部と、フラット状表示面を有する電子表示手段４２が同時に見える（特徴点）。これによりゲームの趣向を凝らすことができる。
図１３は回転体３４が同様に回転し、或いは図７の状態に於いて、回転体３４が時計方向へ９０度回転した場合である。この場合、本実施例では液晶の大画面である第３表示手段４３がプレイヤー側に現れる。
【００４８】
そこで、図１４の（ａ）は、回転体３４の第１表示手段４１の表示面（リール）４１ａが透明板１（ベース板１５）に接近している場合を示す。しかして、本発明の目的は、回転体３４の各表示手段４１、４２、４３の表示面４１ａ、４２ａ、４３ａを切り換えることを前提として、各表示面４１ａ、４２ａ、４３ａの位置を切り換えた場合に、各表示面４１ａ、４２ａ、４３ａの位置がそれぞれ透明板１（ベース板１５）から離れないようにすることであるから、第２表示手段４２の表示面４２ａを表示する場合には、図１４の（ｂ）で示すように、第１駆動源２４及び第１動力伝達手段２５により、回転体用支持枠２２を、矢印方向Ａへと後退させる。回転体用支持枠２２は矢印方向Ａへ所要量後退すると、検知手段２６、２８により、所定位置で停止可能である。なお、実施化レベルでは、遊技機Ｘは検知信号を処理する制御手段を備える。
【００４９】
そこで、支持枠２２の後退位置で回転体用駆動源３１が起動すると、回転体用動力伝達手段３２を介して回転体３４の表示面が切り換る。そうすると、図１４の（ｃ）で示すように、第２表示手段４２の表示面（液晶）４２ａへと切り換る。繰り返しになるが、本実施例では、後退の位置で、第１表示手段４１の表示面４１ａ及び第２表示手段４２の表示面４２ａが透明板１（１５）に接近した状態で、かつ、共に略同じ垂直平面に位置する。
【００５０】
次に、第２表示手段４２の表示面４２ａ等から第３表示手段４３の表示面４３ａに切り換える場合には、図１４の（ｄ）で示すように、そのまま後退の位置で、回転体３４を回転させると、第３表示手段４３の表示面４３ａが透明板１（ベース板１５）に向く。しかし、この後退位置では、該表示面４３ａは透明板１（ベース板１５）から離れた状態になることから、今度は第１駆動源２４及び第１動力伝達手段２５により、回転体用支持枠２２を、矢印方向Ｂへと前進させる。支持枠２２が、矢印方向Ｂへと所要量前進すると、検知手段２６、２８により、所定位置で停止可能である。支持枠２２が前進して停止すると、図１４の（ｅ）の状態となる。
【実施例】
【００５１】
発明の実施の形態で示した実施例に於いて、回転体の表示手段の構成及び組み合わせ態様は一例に過ぎない。発明の所期の目的から明らかなように、本発明の表示手段の個数、構成（メカリール、ホイール、ＬＥＤ、ＥＬなど）及び表示手段の組み合わせは自由である。
【００５２】
また、回転体用支持枠を移動させるための第１駆動源及び動力伝達手段の取付け位置（下部、上部、側部）については、特に限定するものではない。
【００５３】
また、回転体用駆動源及び支持枠移動用第１駆動源は、駆動モータに限定するものではなく、例えば電気的なソレノイドや圧力媒体（例えば油圧）を利用するプランジャー（シリンダー内を往復動する作動杆）に置換可能である。
【００５４】
また、各駆動源２４、３１用の動力伝達手段２５、３２に関しても、色々と設計変更可能である。
【００５５】
念のために、第１動力伝達手段の設計変更例について言及すると、（１）ベース支持部材側ないし回転体用支持枠に減速歯車機構並びにピニオンを適宜に設け、一方、回転体用支持枠側ないしベース支持部材側に前記ピニオンと噛合するラックを設ける構成、（２）ベース支持部材側ないし回転体用支持枠に第１駆動源の駆動力により回転する水平螺杆或いはネジ部を有する棒状体を設け、一方、回転体用支持枠側ないしベース支持部材側に前記水平螺杆と螺合するメス螺合部を設ける構成、（３）さらに、クランク方式の構成等を列挙することができる。
【００５６】
であるから、本実施例の各駆動源２４、３１並びに動力伝達手段２５、３２は実施例に限定されるものではない。
【００５７】
図１５は、設計変更例を一例である。この実施例では、第１駆動源２４の取付け位置、動力伝達手段２５の構成が相違する。簡単に説明すると、第１駆動源２４は回転体用支持枠側（例えば支持枠２２の下面）に設けられている。そして、動力伝達手段２５は、前記回転体用支持枠２２側に設けられた第１駆動源２４の出力軸に設けられた不番のピニオンと、該ピニオンに噛合するようにベース支持部材側（例えばベース支持部材２１の上面）に固定された不番のラックとから構成されている。
【００５８】
さらに、付言すると、本実施例では、遊技機の一例としてパチンコ機Ｘを例に挙げたが、図１６で示すようなスロットマシンＸ１にも適用することができる。なお、スロットマシンＸ１の外観構成については自明事項なので、詳細な説明は割愛する。
【００５９】
最後に、図１７は、本発明を利用した遊技機Ｘ，Ｘ１の実施例である。この利用発明は、本発明の主要部をそのまま含み、出入力制御部５１及び主制御部５２を備える制御部５０と、該制御部５０がアクセスして情報を取得するための記憶部５３を加味したものである。
【００６０】
遊技機Ｘ，Ｘ１は、周知のように操作部４９等を備えている。また、前記記憶部５３は、遊技機Ｘ，Ｘ１の表示装置２Ａが、第１駆動源２４、回転体用駆動源３１、信号検出手段２６、回転体の切換え位置用検出手段３７等を備えていることから、各駆動源の起動点・停止点に関する情報５３ａ、その他ゲームに必要な情報５３ｂを格納している。
【００６１】
上記構成に於いて、出入力制御部５１には、操作部からの操作信号、検知手段２６、３７の検出信号、主制御部からの命令信号等が出入りする。
【００６２】
付言すれば、出入力制御部５１は、主制御部５２の機能を補うとともに、各種周辺回路とのインターフェースを取り扱うための論理回路が、ゲートアレイやカスタムなどにより構成され、かつ、組み込まれているから、操作部及び検知手段からの各種信号（命令）をそのまま、あるいは加工してＣＰＵ側に取り組む。
【００６３】
したがって、主制御部５２は、出入力制御部５１から検知手段２６、３７の検出信号を取得した時は、記憶部５３の各駆動源の起動点・停止点に関する情報５３ａに基づいて、例えば案内手段２３に案内される回転体用支持枠２２を後退させながら回転体３４の表示面を切換え、或いは回転体用支持枠２２を所定位置まで後退させた後（支持枠２２が停止した後）、回転体３４の表示面を切換えることができる。
【産業上の利用可能性】
【００６４】
本発明は、主に遊技機の業界で利用される。
【図面の簡単な説明】
【００６５】
図３乃至図１４は本発明の最良の実施例を示す各説明図。
【図１】図１は、特許文献１に記載の発明の概念図。
【図２】表示装置の抱える問題点を示す説明図。
【図３】発明の実施の環境（パチンコ機に適用）を正面から示す概略説明図。
【図４】本発明の斜視図（第１表示手段及び第２表示手段が見えている）。
【図５】回転体の第１表示手段が透明板に接近した状態の説明図。
【図６】要部（回転体用支持枠、回転体など）の分解斜視図。
【図７】回転体の第１表示手段が透明板側に向いた状態の説明図。
【図８】要部（ベース支持部材側の駆動源、動力伝達手段など）の概略説明図。
【図９】回転体の表示手段の表示面が切り換った一態様を示す斜視図。
【図１０】図９を基準とした右側面からの概略説明図。
【図１１】回転体の表示手段の表示面が切り換った他の態様を示す斜視図。
【図１２】図１１を基準とした右側面からの概略説明図。
【図１３】回転体の第３表示手段が透明板側に向いた状態の説明図。
【図１４】作動態様を示す概略説明図。
【図１５】第１駆動源の取付け位置、動力伝達手段の構成の他の例を示す斜視図。
【図１６】スロットマシンに適用した正面から示す概略説明図。
【図１７】本発明の主要部をそのまま利用した遊技機の一例を示すブロック的説明図。
【符号の説明】
【００６６】
Ｘ、Ｘ１…遊技機、１…透明板、２、２Ａ…表示装置、１２…フロント部材、１５…ベース板、２１…ベース支持部材、２２…回転体用支持枠、２３…案内手段、２４…第１駆動源、２５…第１動力伝達手段、２５ａ…伝動ベルト、２６…信号検出手段、２７…係合片、２８…信号片、３１…回転体用駆動源、３２…回転体用動力伝達手段、３２ａ…伝達ベルト、３３…固定基準軸、３４…回転体、３７…回転体用検出手段、３８…軸受け手段、４１、４２、４３…回転体の各表示手段（４１は第１表示手段、４２は第２表示手段、４３は第３表示手段）、４１ａ、４２ａ、４３ａ…各表示手段の表示面、３４ａ…回転体の対向板、３４ｂ…連結板、３４ｃ、３４ｄ…各支持板、５０…制御部、５１…出入力制御部、５２…主制御部、５３…記憶部、５３ａ…各駆動源の起動点・停止点に関する情報。
【図１】
2007275497.tif 000003
【図２】
2007275497.tif 000004
【図３】
2007275497.tif 000005
【図４】
2007275497.tif 000006
【図５】
2007275497.tif 000007
【図６】
2007275497.tif 000008
【図７】
2007275497.tif 000009
【図８】
2007275497.tif 000010
【図９】
2007275497.tif 000011
【図１０】
2007275497.tif 000012
【図１１】
2007275497.tif 000013
【図１２】
2007275497.tif 000014
【図１３】
2007275497.tif 000015
【図１４】
2007275497.tif 000016
【図１５】
2007275497.tif 000017
【図１６】
2007275497.tif 000018
【図１７】
2007275497.tif 000019